(57)【特許請求の範囲】
【請求項１】
複数のユーザ端末にネットワークを介して接続され、前記ユーザ端末に対してスポット情報を配信する情報配信装置であって、
前記複数のユーザ端末から各ユーザが訪れたスポットを受信し、前記各ユーザが所定期間内に訪れた前記スポットをログデータとして収集するログ収集手段と、
前記ログデータに含まれる各スポットに対する共起スポットをそれぞれ算出し、前記スポットと前記共起スポットとを関連付けて記憶手段に記憶させる共起スポット計算手段と、
前記ユーザ端末から当該ユーザの現在位置を受信し、当該ユーザの現在位置に最も近いスポットに対する共起スポットを前記記憶手段から抽出する共起スポット抽出手段と、
前記抽出された共起スポットを前記スポット情報として前記ユーザ端末に配信するスポット情報配信手段と、を備え、
前記共起スポット計算手段は、前記スポットと任意のスポットについて、前記スポットにいた人数に対する前記スポットおよび前記任意のスポットの両方にいた人数の割合と、前記任意のスポットにいた人数に対する前記スポットおよび前記任意のスポットの両方にいた人数の割合とを掛け合わせて得られる共起度を算出し、前記共起度が所定の閾値以上であれば前記任意のスポットを前記スポットに対する共起スポットとする
ことを特徴とする情報配信装置。
【請求項２】
請求項１に記載の情報配信装置において、
前記共起スポット抽出手段は、
前記ユーザの現在位置がスポットである場合は、当該スポットに対する共起スポットを前記記憶手段から抽出し、
前記ユーザの現在位置がスポットから離れている場合は、前記ユーザの現在位置に最も近いスポットを特定し、当該スポットに対する共起スポットを前記記憶手段から抽出する
ことを特徴とする情報配信装置。
【請求項３】
ユーザが訪れたスポットを送信する複数のユーザ端末と、
このユーザ端末にネットワークを介して接続され、
前記複数のユーザ端末から各ユーザが訪れたスポットを受信し、前記各ユーザが所定期間内に訪れた前記スポットをログデータとして収集するログ収集手段と、
前記ログデータに含まれる各スポットに対する共起スポットを算出し、前記スポットと前記共起スポットとを関連付けて記憶手段に記憶させる共起スポット計算手段と、
前記ユーザ端末から当該ユーザの現在位置を受信し、当該ユーザの現在位置に最も近いスポットに対する共起スポットを前記記憶手段から抽出する共起スポット抽出手段と、
前記抽出された共起スポットを前記スポット情報として前記ユーザ端末に配信するスポット情報配信手段と、を備えた情報配信装置と、を備え、
前記共起スポット計算手段は、前記スポットと任意のスポットについて、前記スポットにいた人数に対する前記スポットおよび前記任意のスポットの両方にいた人数の割合と、前記任意のスポットにいた人数に対する前記スポットおよび前記任意のスポットの両方にいた人数の割合とを掛け合わせて得られる共起度を算出し、前記共起度が所定の閾値以上であれば前記任意のスポットを前記スポットに対する共起スポットとする
ことを特徴とする情報配信システム。
【請求項４】
ログ収集手段と、共起スポット計算手段と、共起スポット抽出手段と、スポット情報配信手段とを備える情報配信装置が、ユーザ端末に対してスポット情報を配信する情報配信方法であって、
前記ログ収集手段が、複数のユーザ端末から各ユーザが訪れたスポットを受信するステップと、
前記ログ収集手段が、前記各ユーザが所定期間内に訪れた前記スポットをログデータとして収集するステップと、
前記共起スポット計算手段が、前記ログデータに含まれる各スポットに対する共起スポットをそれぞれ算出し、前記スポットと前記共起スポットとを関連付けて記憶手段に記憶させるステップと、
前記共起スポット抽出手段が、前記ユーザ端末から当該ユーザの現在位置を受信するステップと、
前記共起スポット抽出手段が、当該ユーザの現在位置に最も近いスポットに対する共起スポットを前記記憶手段から抽出するステップと、
前記スポット情報配信手段が、前記抽出された共起スポットを前記スポット情報として前記ユーザ端末に配信するステップと、を備え、
前記共起スポット計算手段は、前記スポットと任意のスポットについて、前記スポットにいた人数に対する前記スポットおよび前記任意のスポットの両方にいた人数の割合と、前記任意のスポットにいた人数に対する前記スポットおよび前記任意のスポットの両方にいた人数の割合とを掛け合わせて得られる共起度を算出し、前記共起度が所定の閾値以上であれば前記任意のスポットを前記スポットに対する共起スポットとする
ことを特徴とする情報配信方法。
【発明の詳細な説明】
【技術分野】
【０００１】
本発明は、スポット情報を配信可能な情報配信装置、情報配信システム、および情報配信方法に関する。
【背景技術】
【０００２】
従来、携帯電話、スマートフォン、ＰＤＡ（Personal Digital Assistant）、ＰＨＳ（Personal Handyphone System）、モバイルコンピュータ等に対し、ネットワークを介して道案内や観光案内等の情報を提供する技術が知られている（例えば、特許文献１参照）。
特許文献１では、渋谷駅周辺を散策したい場合、案内情報を提供するセンタにアクセスして渋谷駅周辺を２〜３時間の予定で案内する案内用スクリプトを実行させ、センタが案内情報を音声や文字などで携帯電話へ送信することにより、時間と場所に応じた案内サービスを受けることができる。
【先行技術文献】
【特許文献】
【０００３】
【特許文献１】特開２０００−２１５２１１号公報
【発明の概要】
【発明が解決しようとする課題】
【０００４】
しかしながら、特許文献１で作成される案内用スクリプトは、一般的なスポットを案内するため、ユーザの意図とは異なる情報が提供される可能性がある。例えば、アウトドアショップの情報が欲しいユーザに対して雑貨店の情報を送っても有益な情報とはならず、ユーザの満足度を満たすことはできない。
【０００５】
本発明の目的は、ユーザの満足度を満たすスポット情報を配信可能な情報配信装置、情報配信システム、および情報配信方法を提供することである。
【課題を解決するための手段】
【０００６】
本発明の情報配信装置は、複数のユーザ端末にネットワークを介して接続され、前記ユーザ端末に対してスポット情報を配信する情報配信装置であって、前記複数のユーザ端末から各ユーザが訪れたスポットを受信し、前記各ユーザが所定期間内に訪れた前記スポットをログデータとして収集するログ収集手段と、前記ログデータに含まれる各スポットに対する共起スポットをそれぞれ算出し、前記スポットと前記共起スポットとを関連付けて記憶手段に記憶させる共起スポット計算手段と、前記ユーザ端末から当該ユーザの現在位置を受信し、当該ユーザの現在位置に最も近いスポットに対する共起スポットを前記記憶手段から抽出する共起スポット抽出手段と、前記抽出された共起スポットを前記スポット情報として前記ユーザ端末に配信するスポット情報配信手段と、を備え、前記共起スポット計算手段は、前記スポットと任意のスポットについて、前記スポットにいた人数に対する前記スポットおよび前記任意のスポットの両方にいた人数の割合と、前記任意のスポットにいた人数に対する前記スポットおよび前記任意のスポットの両方にいた人数の割合とを掛け合わせて得られる共起度を算出し、前記共起度が所定の閾値以上であれば前記任意のスポットを前記スポットに対する共起スポットとすることを特徴とする。
【０００７】
この発明では、複数のユーザ端末からユーザが所定期間内に実際に訪れたスポットをログデータとして収集し、このログデータに基づいて各スポットに対する共起スポットを算出する。ここで、共起スポットについて説明する。スポットＡを訪れたユーザがスポットＢを訪れる確率が高い場合に、スポットＢをスポットＡの共起スポットとする。また、ユーザ端末からの要求または設定によりユーザ端末の現在位置を受信し、当該現在位置に最も近いスポットに対する共起スポットを記憶手段から抽出し、当該ユーザ端末に対してこの共起スポットをスポット情報として送信する。
これによれば、情報配信装置は、ユーザが実際に訪れたスポットをログデータとして収集するため、実データに基づいた適切な共起スポットを求めることができる。また、共起スポットを提示されたユーザは、他の人がどのようなスポットを訪れているかという情報に基づいて次の予定を立てることができるため、ユーザにとって有益な情報を配信することができる。特に、同じ趣味や嗜好を持っている人は同じスポットを訪れる確率も高いため、実データに基づいて求められた共起スポットをユーザに提示することで、ユーザにとって有益な情報を配信することができる。すなわち、ユーザの満足度を向上させることができる。
【０００９】
この発明では、各スポットと他の任意のスポットとの共起性を、共起度という指標を用いて判定する。共起度が高いほど共起性が高いということであり、閾値を設定して共起スポットか否かを判定する。これによれば、共起度という指標を用いるため、適切に共起スポットを求めることができる。したがって、情報配信装置は、適切に求められた共起スポットにより、ユーザが満足する情報を提供することができる。
【００１０】
本発明の情報配信装置において、前記共起スポット抽出手段は、前記ユーザの現在位置がスポットである場合は、当該スポットに対する共起スポットを前記記憶手段から抽出し、前記ユーザの現在位置がスポットから離れている場合は、前記ユーザの現在位置に最も近いスポットを特定し、当該スポットに対する共起スポットを前記記憶手段から抽出することが好ましい。
【００１１】
ユーザ端末から取得した現在位置は、道路上にある可能性もあり、スポットにあるとは限らない。したがって、現在位置がスポットにある場合はスポットを特定できるが、現在位置がスポットにない場合は、最も近い位置にあるスポットを特定する。これにより、ユーザ端末から受信したデータを無駄なく利用し、多数のログデータを収集できるため、実データに基づいたより適切な共起スポットを求めることができる。
【００１２】
本発明の情報配信システムは、ユーザが訪れたスポットを送信する複数のユーザ端末と、このユーザ端末にネットワークを介して接続され、前記複数のユーザ端末から各ユーザが訪れたスポットを受信し、前記各ユーザが所定期間内に訪れた前記スポットをログデータとして収集するログ収集手段と、前記ログデータに含まれる各スポットに対する共起スポットを算出し、前記スポットと前記共起スポットとを関連付けて記憶手段に記憶させる共起スポット計算手段と、前記ユーザ端末から当該ユーザの現在位置を受信し、当該ユーザの現在位置に最も近いスポットに対する共起スポットを前記記憶手段から抽出する共起スポット抽出手段と、前記抽出された共起スポットを前記スポット情報として前記ユーザ端末に配信するスポット情報配信手段と、を備えた情報配信装置と、を備え、前記共起スポット計算手段は、前記スポットと任意のスポットについて、前記スポットにいた人数に対する前記スポットおよび前記任意のスポットの両方にいた人数の割合と、前記任意のスポットにいた人数に対する前記スポットおよび前記任意のスポットの両方にいた人数の割合とを掛け合わせて得られる共起度を算出し、前記共起度が所定の閾値以上であれば前記任意のスポットを前記スポットに対する共起スポットとすることを特徴とする。
【００１３】
この発明では、情報配信装置はユーザが実際に訪れたスポットをユーザ端末から取得し、ログデータとして収集するため、実データに基づいた適切な共起スポットを求めることができる。また、情報配信装置からユーザ端末に配信されたスポット情報として共起スポットを提示されたユーザは、他の人がどのようなスポットを訪れているかという情報に基づいて次の予定を立てることができるため、ユーザにとって有益な情報を配信することができる。特に、同じ趣味や嗜好を持っている人は同じスポットを訪れる確率も高いため、実データに基づいて求められた共起スポットをユーザに提示することで、ユーザにとって有益な情報を配信することができる。すなわち、ユーザの満足度を向上させることができる。
【００１４】
本発明の情報配信方法は、ログ収集手段と、共起スポット計算手段と、共起スポット抽出手段と、スポット情報配信手段とを備える情報配信装置が、ユーザ端末に対してスポット情報を配信する情報配信方法であって、前記ログ収集手段が、複数のユーザ端末から各ユーザが訪れたスポットを受信するステップと、前記ログ収集手段が、前記各ユーザが所定期間内に訪れた前記スポットをログデータとして収集するステップと、前記共起スポット計算手段が、前記ログデータに含まれる各スポットに対する共起スポットをそれぞれ算出し、前記スポットと前記共起スポットとを関連付けて記憶手段に記憶させるステップと、前記共起スポット抽出手段が、前記ユーザ端末から当該ユーザの現在位置を受信するステップと、前記共起スポット抽出手段が、当該ユーザの現在位置に最も近いスポットに対する共起スポットを前記記憶手段から抽出するステップと、前記スポット情報配信手段が、前記抽出された共起スポットを前記スポット情報として前記ユーザ端末に配信するステップと、を備え、前記共起スポット計算手段は、前記スポットと任意のスポットについて、前記スポットにいた人数に対する前記スポットおよび前記任意のスポットの両方にいた人数の割合と、前記任意のスポットにいた人数に対する前記スポットおよび前記任意のスポットの両方にいた人数の割合とを掛け合わせて得られる共起度を算出し、前記共起度が所定の閾値以上であれば前記任意のスポットを前記スポットに対する共起スポットとすることを特徴とする。
【００１５】
この発明では、ユーザが実際に訪れたスポットをログデータとして収集するため、実データに基づいた適切な共起スポットを求めることができる。また、共起スポットを提示されたユーザは、他の人がどのようなスポットを訪れているかという情報に基づいて次の予定を立てることができるため、ユーザにとって有益な情報を配信することができる。特に、同じ趣味や嗜好を持っている人は同じスポットを訪れる確率も高いため、実データに基づいて求められた共起スポットをユーザに提示することで、ユーザにとって有益な情報を配信することができる。すなわち、ユーザの満足度を向上させることができる。
【図面の簡単な説明】
【００１６】
【図１】本発明の一実施形態にかかる情報配信装置のネットワーク構成および機能構成を示すブロック図。
【図２】前記情報配信装置の動作を示すフローチャート。
【図３】前記情報配信装置の動作を示すフローチャート。
【発明を実施するための形態】
【００１７】
以下、本発明の一実施形態を図面に基づいて説明する。
情報配信システム１は、図１に示すように、情報配信装置１０と、ユーザ端末２０と、がそれぞれインターネット２を介して接続された構成となっている。
【００１８】
情報配信装置１０には、予めユーザ端末２０がユーザ登録され、各ユーザ端末２０には、ユーザを識別するユーザＩＤが付与されている。ユーザ登録しているユーザ端末２０のうち、情報配信装置１０に対して位置情報の送信を許可しているユーザ端末２０は、情報配信装置１０に現在位置を送信する。情報配信装置１０は、受信したユーザ端末２０の現在位置をログデータとして記憶し、蓄積されたログデータに基づいて、各スポットに対する共起スポットを求める。
情報配信装置１０は、ユーザ端末２０の現在位置を取得し、この現在位置に該当するスポット、または最も近いスポットに対する共起スポットを、当該ユーザ端末２０に対して送信する。
【００１９】
以下、各構成について詳述する。
インターネット２はＴＣＰ／ＩＰなどの汎用のプロトコルに基づくインターネットであるが、これに限られない。例えば、無線媒体により情報が送受信可能な複数の基地局がネットワークを構成する通信回線網などのネットワーク、など、データを送受信させるいずれの構成も利用できる。
【００２０】
情報配信装置１０は、ハードウェア構成として、ＲＡＭ（Random Access Memory）やＲＯＭ（Read Only Memory）等の記憶手段と、ＣＰＵ（Central Processing Unit）等の制御手段と、を備えている。ＲＡＭはデータなどを一時的に記憶できる一時領域などを有しており、ＲＯＭはＯＳ（Operating System:基本ソフトウェア）や各種サーバを制御するプログラム、各種アプリケーション、各種データ等が格納されている。ＣＰＵは、これらの記憶手段に格納されているプログラムを読み出し、このプログラムに従って各種処理を行う。
【００２１】
情報配信装置１０の記憶手段には、図１に示すように、ログデータベース１０１と、共起スポットデータベース１０２と、ユーザデータベース１０３と、スポットデータベース１０４と、が記憶されている。
ログデータベース１０１は、例えば、以下の表１に示すように、ユーザ端末２０を識別するユーザＩＤと、ユーザ端末２０が訪れたスポットを識別するスポットＩＤと、その時間と、が関連付けられて１つのレコードとして記憶されたテーブル構造となっている。ここで、ユーザＩＤは、情報配信装置１０を利用するためにユーザ登録を行った際に、一意に識別可能に付与されてユーザデータベースに記憶されている。また、スポットＩＤは、スポットを一意に識別可能に付与され、予めスポットデータベースに記憶されている。なお、項目はここに列挙したものに限られず、ログデータとして利用可能であればその他の項目を適宜追加してもよい。
【００２２】
【表１】
0005368423.tif 000002
【００２３】
共起スポットデータベース１０２は、例えば、以下の表２に示すように、スポットを識別するスポットＩＤと、このスポットに共起する２件のスポットＩＤと、が関連付けられて１つのレコードとして記憶されたテーブル構造となっている。なお、記憶される共起スポットの件数は特に限定されず、１件でもよいし、３件以上のスポットが記憶されていてもよい。
【００２４】
【表２】
0005368423.tif 000003
【００２５】
ユーザデータベース１０３は、ユーザを識別するユーザＩＤと、ユーザの属性等の情報と、情報配信装置１０に対する位置情報の送信の可否と、が関連付けられて記憶されている。
スポットデータベース１０４は、スポットを識別するスポットＩＤと、スポットの名称と、スポットの位置を示す緯度や経度の座標と、交通案内等の情報と、が関連付けられて記憶されている。
【００２６】
また、情報配信装置１０は、制御手段の機能構成として、共起スポットを設定する設定手段１１と、スポット情報を配信する配信手段１２と、を備えている。
設定手段１１は、複数のユーザ端末２０から受信した各ユーザが訪れたスポットをログデータとして記憶し、このログデータに基づいて各スポットに対する共起スポットを設定する。設定手段１１は、第１の位置情報受信部１１１と、ログ作成部１１２と、共起スポット計算部１１３と、を備えている。ここで、第１の位置情報受信部１１１およびログ作成部１１２が、本発明のログ収集手段として機能する。
【００２７】
第１の位置情報受信部１１１は、位置情報の送信を了承しているユーザ端末２０から定期的に送信されてくる当該ユーザ端末２０の位置情報を受信する。具体的には、ユーザ端末２０においてＧＰＳ信号を受信することで算出された位置情報を受信する。位置情報には、ユーザ端末２０の位置を示す緯度や経度の座標、およびその位置にいた時間等が含まれている。第１の位置情報受信部１１１で受信したユーザの位置情報は、ログデータを収集するために利用される。
ログ作成部１１２は、第１の位置情報受信部１１１で受信した位置情報に含まれる座標と、スポットデータベース１０４に記憶された各スポットの座標と、から当該座標の位置に存在するスポットを判定し、ユーザ端末２０の所有者であるユーザを識別するユーザＩＤに、そのユーザがいたスポットを識別するスポットＩＤと、そのスポットにいた時間と、を関連付けてログデータとしてログデータベース１０１に記憶させる。
【００２８】
共起スポット計算部１１３は、ログデータベース１０１に記憶されたログデータに基づいて、各スポットに対する共起スポットを算出する。具体的には、所定期間内にスポットＳａに立ち寄った人数をＰ（Ｓａ）、スポットＳｂに立ち寄った人数をＰ（Ｓｂ）、スポットＳａとＳｂの両方に立ち寄った人数をＰ（Ｓａ；Ｓｂ）とし、スポットＳａとＳｂとの共起度Ｃ（Ｓａ；Ｓｂ）を以下の式（１）で求める。ここで、所定期間は５時間、半日、１日など適宜設定することができる。
【００２９】
Ｃ（Ｓａ；Ｓｂ）＝Ｐ（Ｓａ；Ｓｂ）／Ｐ（Ｓａ）×Ｐ（Ｓａ；Ｓｂ）／Ｐ（Ｓｂ）  ・・・（１）
【００３０】
共起度Ｃ（Ｓａ；Ｓｂ）が任意の閾値以上であれば共起性ありとし、任意の閾値に満たない場合は共起性なしと判定する。すなわち、共起度Ｃ（Ｓａ；Ｓｂ）が任意の閾値以上の場合は、スポットＳａはスポットＳｂの共起スポットであり、スポットＳｂはスポットＳａの共起スポットであると言うことができる。なお、閾値は、任意に設定することができる。そして、スポットＳａの共起スポットと判定されたスポットＳｂのスポットＩＤを、スポットＳａのスポットＩＤと関連付けて、共起スポットデータベース１０２に記憶させる。このように、スポットＳａに対する共起度を全てのスポットについてそれぞれ計算し、共起スポットを求める。
【００３１】
配信手段１２は、ユーザ端末２０の現在位置に対する共起スポットを、スポット情報としてユーザ端末２０に送信する。配信手段１２は、第２の位置情報受信部１２１と、共起スポット抽出部１２２と、スポット情報配信部１２３と、を備えている。ここで、第２の位置情報受信部１２１および共起スポット抽出部１２２が、本発明の共起スポット抽出手段として機能する。
第２の位置情報受信部１２１は、ユーザ端末２０からユーザの位置情報を取得する。具体的には、ユーザ端末２０においてＧＰＳ信号を受信することで算出された位置情報を受信する。位置情報には、ユーザ端末２０の位置を示す緯度や経度の座標等が含まれている。第２の位置情報受信部１２１で受信したユーザの位置情報は、当該ユーザに最適なスポット情報を配信するために利用される。
【００３２】
共起スポット抽出部１２２は、ユーザ端末２０の位置情報と、スポットデータベース１０４に記憶された各スポットの座標と、からユーザ端末２０が位置するスポットを特定する。ユーザ端末２０が位置する座標がいずれのスポットにも該当しない場合は、最も近いスポットを特定する。そして、特定されたスポットを識別するスポットＩＤに関連付けられた共起スポットを、共起スポットデータベース１０２から抽出する。
スポット情報配信部１２３は、抽出された共起スポットを識別するスポットＩＤに関連付けられたスポット情報を、スポットデータベース１０４から取得し、当該スポット情報を当該ユーザ端末２０へ配信する。スポット情報としては、スポットの名称、場所、業種、交通案内等が含まれている。なお、ユーザ端末２０の位置する座標がいずれのスポットにも該当しない場合は、共起スポット抽出部１２２で特定された最も近いスポットに関する情報も、共起スポットの情報とともに配信する。
【００３３】
ユーザ端末２０としては、例えば、携帯電話、スマートフォン、モバイルコンピュータなどを使用することができ、ＲＡＭ（Random Access Memory）やＲＯＭ（Read Only Memory）等の記憶手段と、ＣＰＵ（Central Processing Unit）等の制御手段と、を備えている。ユーザ端末２０は、ＧＰＳ信号を受信して経度や緯度の座標を算出し、情報配信装置１０に送信できるように構成されている。情報配信装置１０に対する位置情報の送信を了承しているユーザ端末２０には、情報配信装置１０に対して定期的に位置情報を送信するプログラムが組み込まれ、このプログラムを実行している。
【００３４】
［情報配信装置１０の動作］
次に、情報配信装置１０の動作を、フローチャートに基づいて説明する。
情報配信システム１は、共起スポットを求めるステップと、ユーザ端末２０に対してスポット情報を提供するステップと、が別々に動作する。
まず、共起スポットを求めるステップを図２に基づいて説明する。
情報配信システム１では、ユーザ端末２０は予め情報配信装置１０にユーザ登録され、一意に識別可能なユーザＩＤが付与されている。ユーザ登録時には、情報配信装置１０に対して位置情報を送信することを了承するか否かを選択し、この情報がユーザデータベース１０３に記憶されている。なお、位置情報の送信を了承しているユーザ端末２０には、定期的に情報配信装置１０に対して位置情報を送信するプログラムが組み込まれている。
【００３５】
第１の位置情報受信部１１１は、ユーザ端末２０から送信されてくる位置情報を受信する（ステップＳ１１）。
次に、ログ作成部１１２は、位置情報に含まれる緯度や経度の座標に基づいて、スポットデータベース１０４から該当するスポットを特定する。そして、当該位置情報を送信したユーザ端末２０のユーザＩＤと、当該スポットのスポットＩＤと、位置情報に含まれる時間と、を関連付けてログデータベース１０１に記憶させる（ステップＳ１２）。
【００３６】
そして、共起スポット計算部１１３は、ログデータベース１０１に記憶されたログデータに基づいて、あるスポットに対するその他のスポットの共起度を上記（１）式を用いて算出し、共起度がある閾値以上、例えば６０％以上となるスポットを当該スポットの共起スポットであるとして、当該スポットを識別するスポットＩＤに共起スポットと判定されたスポットを識別するスポットＩＤを関連付けて、共起スポットデータベース１０２に記憶させる（ステップＳ１３）。
【００３７】
例えば、アウトドアショップＡを訪れたユーザは、その後にアウトドアショップＢおよびアウトドアショップＣを訪れる確率は高いが、宝石店Ｄに訪れる確率は低い。この確率が上述した共起度であり、この共起度が閾値以上であるアウトドアショップＢおよびアウトドアショップＣは、アウトドアショップＡの共起スポットとなる。したがって、アウトドアショップＡにアウトドアショップＢおよびアウトドアショップＣが関連付けられてそれぞれのスポットＩＤが共起スポットデータベース１０２に記憶される。
【００３８】
次に、ユーザ端末２０にスポット情報を提供するステップを図３に基づいて説明する。
ユーザは、スポット情報を取得したい場合に、ユーザ端末２０から情報配信装置１０にアクセスして、スポット情報の要求を送信する。このとき、ユーザ端末２０の位置情報も同時に送信する。
第２の位置情報受信部１２１は、ユーザ端末２０からの要求を位置情報とともに受信する（ステップＳ２１）。
【００３９】
次に、共起スポット抽出部１２２は、受信した位置情報に含まれる座標に基づいて、スポットデータベースから該当するスポットを特定する。該等するスポットがない場合は、最も近いスポットを特定する。そして、当該スポットの共起スポットを共起スポットデータベース１０２から抽出する（ステップＳ２２）。
スポット情報配信部１２３は、抽出されたスポットに関する情報をスポットデータベース１０４から取得し、当該スポット情報を、スポット情報の要求をしたユーザ端末２０に対して配信する。（ステップＳ２３）。
【００４０】
上述した例において、アウトドアショップＢにいるユーザがユーザ端末２０から情報配信装置１０にアクセスしてスポット情報を要求すると、情報配信装置１０は、アウトドアショップＢの共起スポットとして共起スポットデータベース１０２に記憶されているアウトドアショップＡおよびＣのスポット情報をユーザ端末２０に対して送信する。なお、共起スポットが複数ある場合、ユーザ端末２０の表示画面には共起度の高い順に表示させるようにしてもよい。
【００４１】
［本実施形態の作用効果］
以上の本実施形態によれば、以下の作用効果を奏することができる。
設定手段１１は、ユーザ端末２０から受信した位置情報に基づいてログデータを収集し、収集したログデータに基づいて各スポットに対する共起スポットを求めている。このように、ユーザが実際に訪れたスポットの情報を用いて共起スポットを求めるので、実データに基づいた適切な共起スポットを求めることができる。
また、配信手段１２は、ユーザ端末２０の現在位置に基づいて、前述のように適切に設定された共起スポットをスポット情報として配信するため、ユーザの意図に適ったスポット情報を配信することができ、ユーザの満足度を満たすことができる。
【００４２】
例えば、アウトドアショップＡを訪れているユーザが、他のショップも見てみたいと思う場合、情報配信装置１０に対してスポット情報を要求すると、アウトドアショップＡに関連付けられた共起スポットであるアウトドアショップＢおよびＣの情報が送信されてくる。このように、共起スポットを用いて情報配信を行うことで、ユーザの趣味や興味に合った情報を配信することができ、ユーザの満足度を向上させることができる。
一方、アウトドアショップを訪れたいという明確な目的がない場合でも、他の人がどのような場所を訪れているかという情報を得ることができるため、ユーザにとっては有益である。
【００４３】
［変形例］
なお、本発明は、上述した実施形態に限定されるものではなく、本発明の目的を達成できる範囲で、以下に示される変形をも含むものである。
例えば、上記実施形態では、ユーザ端末２０からの要求があると、配信手段１２は共起スポットを抽出してユーザ端末２０に送信しているが、スポット情報を配信するタイミングはこれに限られない。例えば、配信手段１２が定期的にユーザ端末２０にアクセスして現在位置を取得し、一方的にユーザ端末２０にスポット情報を配信する構成であってもよい。
【００４４】
また、上記実施形態では、ユーザ端末２０から定期的に送信されてくる位置情報が情報を受信し、その都度ログデータを作成しているが、例えば、ユーザ端末２０がその日に訪れた場所の座標と時間をユーザ端末２０側で蓄積しておき、１日の終わり、例えば２４時にまとめて情報配信装置１０に送信してログデータを作成してもよい。
また、上記実施形態では、ユーザ端末２０に組み込まれたプログラムを実行することで、情報配信装置１０に定期的に位置情報を送信する構成としたが、情報配信装置１０が定期的に位置情報の配信を了承しているユーザ端末２０にアクセスして位置情報を取得する構成でもよい。
【００４５】
また、上記実施形態では、設定手段１１および配信手段１２を１つの装置内に構成したが、別々の装置に各手段を構成してもよい。
【産業上の利用可能性】
【００４６】
本発明は、ユーザに対してスポット情報を配信するための情報配信装置、情報配信システム、および情報配信方法として利用できる。
【符号の説明】
【００４７】
１…情報配信システム
１０…情報配信装置
１１…設定手段
１２…配信手段
２０…ユーザ端末
１０１…ログデータベース
１０２…共起スポットデータベース
１０３…ユーザデータベース
１０４…スポットデータベース
１１１…第１の位置情報受信部
１１２…ログ作成部
１１３…共起スポット計算部
１２１…第２の位置情報受信部
１２２…共起スポット抽出部
１２３…スポット情報配信部
【図１】
0005368423.tif 000004
【図２】
0005368423.tif 000005
【図３】
0005368423.tif 000006